(57)【特許請求の範囲】
【請求項１】
液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置において、
前記容器体を一側部側より挟持する第一挟持部及び前記容器体を他側部側より挟持する第二挟持部からなる挟持体と、該挟持体の前記両挟持部が前記容器体を周囲から包囲した状態に維持する維持手段とを備え
前記揮散体を前記液状薬剤側へ落下可能に保持する保持空間を前記挟持体に形成し、当該保持空間を前記挟持体の上部に開口したことを特徴とする揮散装置。
【請求項２】
液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置において、
前記容器体を一側部側より挟持する第一挟持部及び前記容器体を他側部側より挟持する第二挟持部からなる挟持体と、該挟持体の前記両挟持部が前記容器体を周囲から包囲した状態に維持する維持手段とを備え、
前記揮散体を前記液状薬剤側へ落下可能に保持する保持空間を前記挟持体に形成し、当該保持空間を構成する保持空間構成部を前記両挟持部が対向する対向面側に開口したことを特徴とする揮散装置。
【請求項３】
前記保持空間を前記挟持体の上部に開口したことを特徴とする請求項２記載の揮散装置。
【請求項４】
前記挟持体に前記仕切部の一部を外部へ延出するスリットを設け、該スリットを前記両挟持部が対向する対向面側に開口したことを特徴とする請求項１、２又は３記載の揮散装置。
【請求項５】
液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置の製造方法において、
前記容器体の一側部側を第一挟持部で挟持するとともに前記容器体の他側部側を第二挟持部で挟持して当該容器体を前記両挟持部で構成された挟持体で包囲して挟持する挟持工程と、
前記挟持体に形成された上方開口状の保持空間に、その上方開口部から前記揮散体を前記液状薬剤側へ落下可能に収容する収容工程と、
を備えたことを特徴とする揮散装置の製造方法。
【請求項６】
液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置の製造方法において、
第一挟持部の内側面に形成された第一凹部に前記容器体の一側部をセットするとともに、当該第一挟持部の内側面に凹設された保持空間構成部に前記揮散体をセットするセット工程と、
前記容器体の他側部側に第二挟持部をセットして該第二挟持部及び前記第一挟持部からなる挟持体で前記容器体を包囲するとともに、前記揮散体を前記保持空間構成部で構成される保持空間に落下可能に収容する収容工程と、
を備えたことを特徴とする揮散装置の製造方法。
【発明の詳細な説明】
【技術分野】
【０００１】
本発明は、液状薬剤を揮散する揮散装置及び揮散装置の製造方法に関する。
【背景技術】
【０００２】
従来、芳香剤などの液状薬剤を揮散する装置としては揮散装置が知られている（例えば、特許文献１参照。）。
【０００３】
この揮散装置は、液状薬剤を収容したボトルを備えており、該ボトルの口部には、中栓が装着されている。該中栓の上部は、大径部が形成されており、該大径部の周縁部には、中栓周壁が形成されている。該大径部の上方開口部には、中蓋が設けられており、該中蓋の周縁部は、前記中栓周壁の上縁に剥離可能の固定されている。この中蓋には、舌片が設けられており、当該舌片は側方へ向けて延出している。
【０００４】
前記ボトルの上部には、オーバーキャップが装着されており、オーバーキャップの天面には、揮散孔が設けられている。また、前記天面には、下方へ向けて突出したインナーリングが設けられており、該インナーリング内には、前記中栓上に配置されたフェルト板を落下可能に収容できるように構成されている。
【０００５】
また、前記オーバーキャップの側面には、スリットが設けられており、当該スリットからは、前記舌片が延出するように構成されている。
【０００６】
これにより、当該揮散装置を使用する際には、前記スリットから延出した前記舌片を引っ張って前記中蓋を前記中栓から剥離することで、前記中蓋上の前記フェルト板を前記中栓の前記中栓周壁内に落下できるように構成されており、この落下した状態で前記中栓より延出した吸上芯を前記フェルト板に接続することで、前記吸上芯で吸い上げられた液状薬剤を前記フェルト板に吸い上げて揮散できるように構成されている。
【先行技術文献】
【特許文献】
【０００７】
【特許文献１】特開２００７−２７６８３１号公報
【発明の概要】
【発明が解決しようとする課題】
【０００８】
しかしながら、このような従来の揮散装置を組み立てる際には、中栓に設けられた中蓋上にフェルト板を配置するとともに、ボトル上部にオーバーキャップを装着する。
【０００９】
このとき、該オーバーキャップのインナーリング内に前記フェルト板を配置する必要があるが、前記インナーリングは、前記オーバーキャップの天面裏側に設けられており、インナーリング内に前記フェルト板を配置する作業に苦労を要した。
【００１０】
このとき、前記オーバーキャップの前記インナーリング内に前記フェルト板を予め収容しておき、当該オーバーキャップを前記ボトルに装着する方法が考えられるが、前記フェルト板は前記インナーリングから落下自在となるように構成されており、前記フェルト板を前記インナーリング内に保持しつつ、当該オーバーキャップを前記ボトルに装着する作業は困難である。
【００１１】
本発明は、このような従来の課題に鑑みてなされたものであり、組立が容易な揮散装置及び揮散装置の製造方法を提供することを目的とするものである。
【課題を解決するための手段】
【００１２】
前記課題を解決するために本発明の請求項１の揮散装置にあっては、液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置において、前記容器体を一側部側より挟持する第一挟持部及び前記容器体を他側部側より挟持する第二挟持部からなる挟持体と、該挟持体の前記両挟持部が前記容器体を周囲から包囲した状態に維持する維持手段とを備え前記揮散体を前記液状薬剤側へ落下可能に保持する保持空間を前記挟持体に形成し、当該保持空間を前記挟持体の上部に開口した。
【００１３】
すなわち、揮散装置を組み立てる際には、液状薬剤が収容された容器体の一側部側を挟持体の第一挟持部で挟持するとともに、前記容器体の他側部側を前記挟持体の第二挟持部で挟持し、前記挟持体の前記両挟持部が前記容器体を周囲から包囲した状態に維持する。
【００１４】
この状態において、前記挟持体には、前記揮散体を前記液状薬剤側へ落下可能に保持する保持空間が形成されており、該保持空間は前記挟持体の上部に開口している。
【００１５】
このため、この上方開口部から前記揮散体を挿入することで、当該揮散体は、前記保持空間内に落下可能に保持される。
【００１６】
なお、前記挟持体の前記両挟持部が前記容器体を周囲から包囲した状態に維持する維持工程は、この揮散体のセットが完了した後に行っても良い。
【００１７】
また、本発明の請求項２の揮散装置にあっては、液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置において、前記容器体を一側部側より挟持する第一挟持部及び前記容器体を他側部側より挟持する第二挟持部からなる挟持体と、該挟持体の前記両挟持部が前記容器体を周囲から包囲した状態に維持する維持手段とを備え、前記揮散体を前記液状薬剤側へ落下可能に保持する保持空間を前記挟持体に形成し、当該保持空間を構成する保持空間構成部を前記両挟持部が対向する対向面側に開口した。
【００１８】
すなわち、揮散装置を組み立てる際には、液状薬剤が収容された容器体の一側部側を挟持体の第一挟持部で挟持するとともに、前記容器体の他側部側を前記挟持体の第二挟持部で挟持し、前記挟持体の前記両挟持部が前記容器体を周囲から包囲した状態に維持する。
【００１９】
このとき、揮散体の保持空間を構成する保持空間構成部は、前記両挟持部が対向する対向面側に開口しており、前記両挟持部間に前記容器体をセットする際に、前記揮散体を前記保持空間構成部で構成される保持空間にセットすることができる。
【００２０】
このため、前記容器体挟持時に前記揮散体をセットすることで、当該揮散体は、前記保持空間内に落下可能に保持される。
【００２１】
そして、前記挟持体の前記両挟持部は、前記容器体を周囲から包囲した状態に維持される。
【００２２】
さらに、請求項３の揮散装置では、前記保持空間を前記挟持体の上部に開口した。
【００２３】
このため、前記挟持体の前記両挟持部で前記容器体を周囲から包囲した後であっても、前記挟持体の上部に開口した上方開口部から前記揮散体を挿入することで、当該揮散体の前記保持空間内での落下可能な保持が可能となる。
【００２４】
加えて、請求項４の揮散装置にあっては、前記挟持体に前記仕切部の一部を外部へ延出するスリットを設け、該スリットを前記両挟持部が対向する対向面側に開口した。
【００２５】
すなわち、前記挟持体には、前記仕切部の一部を外部へ延出するスリットが設けられており、該スリットは、前記両挟持部が対向する対向面側に開口している。
【００２６】
このため、前記容器体を前記両挟持部に挟持する際に、前記仕切部の一部を前記スリットに挿通することができる。これにより、組み立てられた前記挟持体より前記仕切部の一部が延出した状態が形成される。
【００２７】
また、本発明の請求項５の揮散装置の製造方法にあっては、液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置の製造方法において、前記容器体の一側部側を第一挟持部で挟持するとともに前記容器体の他側部側を第二挟持部で挟持して当該容器体を前記両挟持部で構成された挟持体で包囲して挟持する挟持工程と、前記挟持体に形成された上方開口状の保持空間に、その上方開口部から前記揮散体を前記液状薬剤側へ落下可能に収容する収容工程と、を備えている。
【００２８】
すなわち、揮散装置を組み立てる際には、液状薬剤が収容された容器体の一側部側を挟持体の第一挟持部で挟持するとともに、前記容器体の他側部側を前記挟持体の第二挟持部で挟持し、前記挟持体の前記両挟持部が前記容器体を周囲から包囲した状態を形成する。
【００２９】
この状態において、前記挟持体に形成された上方開口状の保持空間に、その上方開口部から前記揮散体を挿入し、当該揮散体を前記保持空間内へ落下可能に収容する。
【００３０】
これにより、前記容器体のセットと前記揮散体のセットとが完了する。
【００３１】
さらに、請求項６の揮散装置の製造方法にあっては、液状薬剤が収容された容器体と、該容器体内の前記液状薬剤を吸収して揮散する揮散体とを備え、該揮散体と当該揮散体下部の前記液状薬剤との間に設けられた仕切部を引き抜いて使用する揮散装置の製造方法において、第一挟持部の内側面に形成された第一凹部に前記容器体の一側部をセットするとともに、当該第一挟持部の内側面に凹設された保持空間構成部に前記揮散体をセットするセット工程と、前記容器体の他側部側に第二挟持部をセットして該第二挟持部及び前記第一挟持部からなる挟持体で前記容器体を包囲するとともに、前記揮散体を前記保持空間構成部で構成される保持空間に落下可能に収容する収容工程と、を備えている。
【００３２】
すなわち、揮散装置を組み立てる際には、第一挟持部の内側面に形成された第一凹部に前記容器体の一側部をセットするとともに、当該第一挟持部の内側面に凹設された保持空間構成部に前記揮散体をセットする。
【００３３】
そして、前記容器体の他側部側に第二挟持部をセットして該第二挟持部及び前記第一挟持部からなる挟持体で前記容器体を包囲するとともに、前記揮散体を前記保持空間構成部で構成される保持空間に落下可能に収容する。
【００３４】
これにより、前記容器体のセットと前記揮散体のセットとが完了する。
【発明の効果】
【００３５】
以上説明したように本発明の請求項１の揮散装置にあっては、液状薬剤が収容された容器体を、挟持体の第一挟持部及び第二挟持部で挟持した後、当該挟持体の上部に開口した上方開口部から揮散体を挿入することで、当該揮散体を保持空間内に落下可能に保持することができる。
【００３６】
このため、ボトル上部にオーバーキャップを装着する際に、オーバーキャップ裏面のインナーリング内に中栓の中蓋上に配置されたフェルト板をセットする構造上、フェルト板とインナーリングとの位置関係を確認しながらオーバーキャップを装着しなければならなかった従来と比較して、作業性が向上する。
【００３７】
したがって、組立が容易な揮散装置となり得る。
【００３８】
また、本発明の請求項２の揮散装置にあっては、挟持体の両挟持部間に容器体をセットする際に、保持空間構成部で構成される保持空間に揮散体をセットすることができ、該揮散体を前記挟持体の保持空間内に落下可能に保持することができる。
【００３９】
このため、ボトル上部にオーバーキャップを装着する際に、オーバーキャップ裏面のインナーリング内に中栓の中蓋上に配置されたフェルト板をセットする構造上、フェルト板とインナーリングとの位置関係を確認しながらオーバーキャップを装着しなければならなかった従来と比較して、作業性が向上する。
【００４０】
したがって、組立が容易な揮散装置となり得る。
【００４１】
さらに、請求項３の揮散装置では、前記挟持体の前記両挟持部で前記容器体を周囲から包囲した後であっても、前記挟持体の上部に開口した上方開口部から前記揮散体を挿入することで、当該揮散体を前記保持空間内に落下可能に保持することもできる。
【００４２】
これにより、組立工程に適した揮散体のセット方法が選択できる。
【００４３】
加えて、請求項４の揮散装置にあっては、前記挟持体に前記仕切部の一部を外部へ延出するスリットが設けられており、該スリットは、前記両挟持部が対向する対向面側に開口している。
【００４４】
このため、前記容器体を前記両挟持部に挟持する際に、前記仕切部の一部を前記スリットに挿通することで、組み立てられた前記挟持体より前記仕切部の一部が延出した状態を形成することができる。
【００４５】
このため、前記挟持体に設けられた開口部に前記仕切部の一部を挿通して当該仕切部の一部を延出する場合と比較して、組立容易性を高めることができる。
【００４６】
また、本発明の請求項５の揮散装置の製造方法にあっては、揮散装置を組み立てる際に、液状薬剤が収容された容器体の一側部側を挟持体の第一挟持部で挟持するとともに、前記容器体の他側部側を前記挟持体の第二挟持部で挟持し、前記挟持体の前記両挟持部が前記容器体を周囲から包囲した状態を形成する。
【００４７】
この状態において、前記挟持体に形成された上方開口状の保持空間に、その上方開口部から前記揮散体を挿入し、当該揮散体を前記保持空間内へ落下可能に収容する。
【００４８】
これにより、前記容器体のセットと前記揮散体のセットとを完了することができる。
【００４９】
このため、ボトル上部にオーバーキャップを装着する際に、オーバーキャップ裏面のインナーリング内に中栓の中蓋上に配置されたフェルト板をセットする構造上、フェルト板とインナーリングとの位置関係を確認しながらオーバーキャップを装着しなければならなかった従来と比較して、作業性が向上する。
【００５０】
したがって、組立が容易な揮散装置の製造方法を提供することができる。
【００５１】
さらに、請求項６の揮散装置の製造方法にあっては、揮散装置を組み立てる際に、第一挟持部の内側面に形成された第一凹部に前記容器体の一側部をセットするとともに、当該第一挟持部の内側面に凹設された保持空間構成部に前記揮散体をセットする。
【００５２】
そして、前記容器体の他側部側に第二挟持部をセットして該第二挟持部及び前記第一挟持部からなる挟持体で前記容器体を包囲するとともに、前記揮散体を前記保持空間構成部で構成される保持空間に落下可能に収容する。
【００５３】
これにより、前記容器体のセットと前記揮散体のセットとを完了することができる。
【００５４】
このため、ボトル上部にオーバーキャップを装着する際に、オーバーキャップ裏面のインナーリング内に中栓の中蓋上に配置されたフェルト板をセットする構造上、フェルト板とインナーリングとの位置関係を確認しながらオーバーキャップを装着しなければならなかった従来と比較して、作業性が向上する。
【００５５】
したがって、組立が容易な揮散装置の製造方法を提供することができる。
【図面の簡単な説明】
【００５６】
【図１】本発明の一実施の形態を示す説明図である。
【図２】同実施の形態の平面図である。
【図３】同実施の形態の容器体を示す説明図である。
【図４】同実施の形態のトレイを開放した状態を示す説明図である。
【図５】同実施の形態のトレイを上方から見た状態を示す平面図である。
【発明を実施するための形態】
【００５７】
以下、本発明の一実施の形態を図に従って説明する。
【００５８】
図１は、本実施の形態にかかる揮散装置１を示す図であり、該揮散装置１は、液状薬剤２を揮散する装置である。
【００５９】
この液状薬剤２としては、芳香剤、消臭剤、防虫剤、殺虫剤、忌避剤等が挙げられ、本実施の形態では、前記液状薬剤２が芳香剤で構成された場合を例に挙げて説明する。
【００６０】
この揮散装置１は、内側を構成する内側構成部１１と、外側を構成する外側構成部１２（図１及び図２中破線で図示）とによって構成されている。
【００６１】
該外側構成部１２は、矩形容器状の紙箱で形成された維持手段を構成する外ケース２１によって構成されており、前記外ケース２１内に前記内側構成部１１を収容した状態で該内側構成部１１を隠蔽するとともに当該内側構成部１１の不用意な展開を防止できるように構成されている。前記外ケース２１の上部開口部は、紙製の天板２２によって閉鎖されており、該天板２２には、複数の長穴２３，・・・が並設されている（図２中破線で図示）。これらの長穴２３，・・・によって当該外ケース２１には、揮散した液状薬剤２を放出する放出部が形成されており、当該外ケース２１の側面には、矩形状の引き抜き穴２４が開設されている（図１参照）。
【００６２】
前記内側構成部１１は、前記液状薬剤２が収容された容器体３１と、該容器体３１の上部に設けられた揮散体３２と、前記容器体３１及び前記揮散体３２を包囲する挟持体としてのトレイ３３とを備えている。
【００６３】
前記容器体３１は、図３にも示すように、矩形容器状に形成されており、当該容器体の上部開口部４１の開口縁部には、側方に延出したフランジ４２が矩形枠状に形成されている。
【００６４】
このフランジ４２の内縁には、一段低い段差面５１が当該フランジ４２の内縁に沿って形成されており、該段差面５１には、中蓋５２の周縁部５３が載置された状態で支持されている。
【００６５】
この中蓋５２は、矩形状に形成されており、その中心部へ向かうに従って下方に傾斜した漏斗状に形成されている。また、この中蓋５２の中心部には、矩形状開口部６１が形成されており、該矩形状開口部６１の開口縁からは矩形筒状の矩形筒部６２が下方へ向けて延出している。該矩形筒部６２には、四角柱状の吸上芯６３が挿通されており、該吸上芯６３は、その下端が前記容器体３１の底面６４に到達するとともに、該底面６４に突設された四つのＬ字片６５，・・・で位置決めされている。
【００６６】
また、前記吸上芯６３は、その上端が前記中蓋５２の前記周縁部５３の高さ位置まで達するように構成されており、この吸上芯６３によって前記容器体３１内の液状薬剤２を吸い上げられるように構成されている。
【００６７】
前記容器体３１には、仕切部としてのアルミ製のシート７１が設けられており、該シート７１によって前記上部開口部４１が開放可能に閉鎖されている。これにより、前記中蓋５２の前記吸上芯６３で吸い上げられた前記液状薬剤２が揮散しないように構成されている。
【００６８】
このシート７１は、前記容器体３１の前記フランジ４２に剥離可能に溶着されたシート本体８１と、該シート本体８１の一縁より折り返された折返し部８２とによって構成されており、前記シート本体８１が前記上部開口部４１を閉鎖するように構成されている。
【００６９】
前記折返し部８２は、前記シート本体８１上に折り返されるように構成されており、この折返し部８２は、前記シート本体８１より幅狭の細長に形成されている。前記折返し部８２の先端部は、前記フランジ４２の端部より延出する長さ寸法に設定されており、この延出部分は、前記トレイ３３を挿通するとともに、前記外ケース２１の前記引き抜き穴２４を介して外部へ延出するように構成されている。
【００７０】
これにより、当該揮散装置１を使用する際には、図１にも示したように、前記外ケース２１の前記引き抜き穴２４より延出した前記シート７１の前記折返し部８２を引っ張ることで、前記フランジ４２に溶着された前記シート本体８１を折返し部分側から全域に渡って剥離できるように構成されており、剥離されたシート７１を前記外ケース２１の前記引き抜き穴２４から引き抜けるように構成されている。
【００７１】
前記容器体３１の上部であって前記トレイ３３の上側部分には、前記液状薬剤２を吸収して揮散する前記揮散体３２が収容されており、当該揮散体３２は、前記容器体３１の前記シート７１上に立てた状態で載置されている。
【００７２】
この揮散体３２は、厚肉板状の濾紙によって形成されており、当該揮散体３２の一面には、図２に示したように、縦溝９１，９１が形成され凹凸形状に形成されている。前記揮散体３２の上側面９２は、図４に示したように、中央部が上方へ向けて突出した円弧状に形成されており、その下側面９３は、その中央部が下方へ向けて突出した円弧状に形成されている。
【００７３】
そして、この揮散体３２は、前記吸上芯６３の真上に配置されており、前記容器体３１から前記シート７１が剥離された際に、前記揮散体３２の下側面９３が前記吸上芯６３の上端に当接することで、該吸上芯６３で吸い上げられた前記液状薬剤２を吸収して揮散できるように構成されている。
【００７４】
前記トレイ３３は、シート成形された無色透明のフィルム状部材によって形成されており、当該フィルム状部材は、プラスチックと紙とからなる可燃性素材によって構成されている。これにより、インジェクション成形で形成をする必要があった従来品と比較して、プラスチックの使用量を著しく低減することが可能である。また使用後には、紙製の前記外ケース２１と共に燃えるゴミとして破棄できるように構成されており、破棄時の環境負担を軽減することができる。
【００７５】
このトレイ３３は、図１に示したように、前記容器体３１の左側部１０１を覆う第一挟持部１０２と、前記容器体３１の右側部１０３を覆う第二挟持部１０４と、前記第一挟持部１０２の下縁と前記第二挟持部１０４の下縁とを連設する底面部１０５とによって構成されており、図４に示したように、該底面部１０５に対して前記両挟持部１０２，１０４を側方へ傾倒することで、当該底面部１０５上を開放して前記容器体３１を配置できるように構成されている。
【００７６】
この底面部１０５の中央部には、上方へ向けて膨出形成された矩形状の台座部１１１が形成されており、図１に示したように、当該台座部１１１上に前記容器体３１を載置できるように構成されている。
【００７７】
前記第二挟持部１０４は、前記容器体３１の右側部１０３を保持するための容器体右側部用凹部１２１が形成されており、その前部には（図１中手前側、図２中下側）、内側面へ向けて膨出形成された第二前壁部１２２が形成されている。また、前記容器体右側部用凹部１２１の後部には（図１中奥側、図２中上側）、内側へ向けて膨出形成された第二後壁部１２３が形成されており（図２のみ図示）、前記容器体右側部用凹部１２１に収容された前記容器体３１の右側部１０３を前記第二前壁部１２２と前記第二後壁部１２３とによって前後から挟持した状態で保持できるように構成されている。
【００７８】
前記第二前壁部１２２の上部には、図４にも示したように、所定の間隔をおいて、内側へ向けて膨出した第二前部膨出部１３１が上下方向に延設されており、前記第二後壁部１２３の上部にも、所定の間隔をおいて、内側へ向けて膨出した第二後部膨出部１３２が上下方向に延設されている。
【００７９】
前記第二前部膨出部１３１の下端部には、第二前方下部矩形状段部１４１が膨出形成されており、当該第二前部膨出部１３１の上端部には、第二前方上部矩形状段部１４２が膨出形成されている。また、前記第二後部膨出部１３２の下端部には、第二後方下部矩形状段部１４３が膨出形成されており、当該第二後部膨出部１３２の上端部には、第二後方上部矩形状段部１４４が膨出形成されている。
【００８０】
前記第二前壁部１２２と前記第二前部膨出部１３１の前記第二前方下部矩形状段部１４１との間には、前方へ向けて開口した第二前スリット１５１が形成されており、前記第二後壁部１２３と前記第二後部膨出部１３２の前記第二後方下部矩形状段部１４３との間には、後方へ向けて開口した第二後スリット１５２が形成されている。両スリット１５１，１５２の端部は、当該第二挟持部１０４の内側面、すなわち前記第一挟持部１０２に対向する対向面側に開口するように構成されている。
【００８１】
前記第二前方下部矩形状段部１４１及び前記第二後方下部矩形状段部１４３には、後退した段差部が前記両下部矩形状段部１４１，１４３の対向する対向部側に形成されており、前記第二前方下部矩形状段部１４１及び前記第二後方下部矩形状段部１４３には、第二前方下部保持空間構成部１６１及び第二後方下部保持空間構成部１６２が形成されている。
【００８２】
また、前記第二前方上部矩形状段部１４２及び前記第二後方上部矩形状段部１４４には、後退した段差部が前記両上部矩形状段部１４２，１４４の対向する対向部側に形成されており、前記第二前方上部矩形状段部１４２及び前記第二後方上部矩形状段部１４４には、第二前方上部保持空間構成部１７１及び第二後方上部保持空間構成部１７２が形成されている。
【００８３】
そして、前記各保持空間構成部１６１，１６２，１７１，１７２は、当該第二挟持部１０４の内側面、すなわち前記第一挟持部１０２に対向する対向面側に開口するように構成されている。
【００８４】
該第一挟持部１０２は、前記第二挟持部１０４と対称形状に形成されており、同等箇所は符号を省略し、必要部分にのみ符号を付して説明する。
【００８５】
すなわち、前記第一挟持部１０２は、図１及び図２に示したように、前記容器体３１の左側部１０１を保持するための容器体左側部用凹部２０１が形成されており、その前部には（図１中手前側、図２中下側）、内側面へ向けて膨出形成された第一前壁部が形成されている。また、前記容器体左側部用凹部２０１の後部には（図１中奥側、図２中上側）、内側へ向けて膨出形成された第一後壁部が形成されており、前記容器体左側部用凹部２０１に収容された前記容器体３１の左側部１０１を前記第一前壁部と前記第一後壁部とによって挟持した状態で保持できるように構成されている。
【００８６】
前記第一前壁部の上部には、図２にも示したように、所定の間隔をおいて、内側へ向けて膨出した第一前部膨出部２１１が上下方向に延設されており、前記第一後壁部の上部にも、所定の間隔をおいて、内側へ向けて膨出した第一後部膨出部２１２が上下方向に延設されている。
【００８７】
前記第一前部膨出部２１１の下端部には、第一前方下部矩形状段部が膨出形成されており、当該第一前部膨出部２１１の上端部には、第一前方上部矩形状段部２２２が膨出形成されている。また、前記第一後部膨出部の下端部には、第一後方下部矩形状段部が膨出形成されており、当該第一後部膨出部の上端部には、第一後方上部矩形状段部２２４が膨出形成されている。
【００８８】
前記第一前壁部と前記第一前部膨出部２１１の前記第一前方下部膨出部との間には、前方へ向けて開口した第一前スリット２３１が形成されており、前記第一後壁部と前記第一後部膨出部の前記第一後方下部膨出部との間には、図１に示したように、後方へ向けて開口した第一後スリットが形成されている。両スリット２３１の端部は、当該第一挟持部１０２の内側面、すなわち前記第二挟持部１０４に対向する対向面側に開口するように構成されている。
【００８９】
前記第一前方下部矩形状段部及び前記第一後方下部矩形状段部には、後退した段差部が前記両下部矩形状段部の対向する対向部側に形成されており、前記第一前方下部矩形状段部及び前記第一後方下部矩形状段部には、第一前方下部保持空間構成部及び第一後方下部保持空間構成部が形成されている。
【００９０】
また、前記第一前方上部矩形状段部２２２及び前記第一後方上部矩形状段部２２４には、後退した段差部が前記両上部矩形状段部２２２，２２４の対向する対向部側に形成されており、前記第一前方上部矩形状段部２２２及び前記第一後方上部矩形状段部２２４には、図２に示したように、第一前方上部保持空間構成部２４１及び第一後方上部保持空間構成部２４２が形成されている。
【００９１】
そして、前記各保持空間構成部２４１，２４２は、当該第一挟持部１０２の内側面、すなわち前記第二挟持部１０４に対向する対向面側に開口するように構成されている。
【００９２】
この第一挟持部１０２と前記第二挟持部１０４とを対面させた状態において、前記第一挟持部１０２の前記容器体左側部用凹部２０１と前記第二挟持部１０４の前記容器体右側部用凹部１２１とからなる容器収容空間３０１には、図１及び図４に示したように、前記容器体３１を収容した状態で保持できるように構成されており、この状態では、当該容器体３１の前記フランジ４２が前記各スリット１５１，１５２，２３１に挿入された状態で位置決めされるように構成されている。
【００９３】
このとき、図１に示したように、当該フランジ４２に貼着された前記シート７１の前記折返し部８２の先端部分が前記両スリット１５１，２３１を介して当該トレイ３３の前方に延出した後、前記外ケース２１の前記引き抜き穴２４から外部へ延出するように構成されている。
【００９４】
また、前記第一挟持部１０２と前記第二挟持部１０４とを対面させた状態において、図２及び図５に示したように、前記第一挟持部１０２の前記各保持空間構成部２４１，２４２と、前記第二挟持部１０４の前記各保持空間構成部１６１，１６２，１７１，１７２との間に前記揮散体３２の立てた状態でその両側部を保持する保持空間３１１を形成できるように構成されており、図５に示したように、該保持空間３１１の幅寸法３１２は、前記揮散体３２の厚み寸法３１３より十分に広くなるように設定されている。
【００９５】
これにより、前記揮散体３２は、前記保持空間３１１において前記容器体３１の前記液状薬剤２側へ落下可能に保持されるように構成されている。
【００９６】
そして、この保持空間３１１は、前記トレイ３３の上方へ向けて開口するように構成されており、当該トレイ３３の天面には、前記保持空間３１１に連通する上方開口部３２１が開設されている。
【００９７】
以上の構成にかかる本実施において、この揮散装置１を組み立てる際には、液状薬剤２が収容された容器体３１を、トレイ３３底面部１０５の台座部１１１上に載置するとともに、当該トレイ３３の例えば第二挟持部１０４を前記底面部１０５に対して起立する。このとき、該第二挟持部１０４には、容器体右側部用凹部１２１が凹設されており、前記容器体３１の右側部１０３は、この容器体右側部用凹部１２１内に収容され保持される。
【００９８】
また、該第二挟持部１０４には、前部に第二前スリット１５１が形成されており、後部には、第二後スリット１５２が形成されている。このため、前記容器体３１は、前側のフランジ４２部分が前記第二前スリット１５１に挿入された状態で位置決めされるとともに、後側のフランジ４２部分が前記第二後スリット１５２に挿入された状態で位置決めされる。
【００９９】
そして、前記両スリット１５１，１５２は、前方及び後方に開口している。このため、前記容器体３１の上部開口部４１を閉鎖したシート７１の折返し部８２を、前記第二前スリット１５１を介して前方に延出することができる。
【０１００】
次に、前記トレイ３３の第一挟持部１０２を前記底面部１０５に対して起立する。このとき、該第一挟持部１０２には、容器体左側部用凹部２０１が凹設されており、前記容器体３１の左側部１０１は、この容器体左側部用凹部２０１内に収容され保持される。これにより、前記容器体３１を、前記トレイ３３の前記両挟持部１０２，１０４で挟持した状態で当該トレイ３３によって周囲から包囲することができる。
【０１０１】
このとき、該第一挟持部１０２には、前部に第一前スリット２３１が形成されており、後部には、第一後スリットが形成されている。このため、前記容器体３１は、前側のフランジ４２部分が前記第一前スリット２３１に挿入された状態で位置決めされるとともに、後側のフランジ４２部分が前記第一後スリットに挿入された状態で位置決めされる。
【０１０２】
そして、前記両スリット２３１は、前方及び後方に開口している。このため、前記容器体３１の上部開口部４１を閉鎖したシート７１の折返し部８２を、前記第一前スリット２３１を介して前方に延出することができる。
【０１０３】
この状態において、前記容器体３１を保持した前記トレイ３３を外ケース２１に収容する。すると、前記トレイ３３の両挟持部１０２，１０４は前記外ケース２１で包囲された状態で不用意な展開が防止される。
【０１０４】
このとき、該外ケース２１には、大径の引き抜き穴２４が開設されている。このため、前記トレイ３３より延出した前記シート７１の折返し部８２を、この引き抜き穴２４から延出させることができる。
【０１０５】
また、前記トレイ３３には、揮散体３２を前記液状薬剤２側へ落下可能に保持する保持空間３１１が形成されており、該保持空間３１１は、当該トレイ３３の上部に開口している。
【０１０６】
このため、この上方開口部３２１から前記揮散体３２を挿入することで、当該揮散体３２を、前記保持空間３１１内に落下可能の保持することができる。
【０１０７】
そして、前記外ケース２１の上部開口部に天板２２を装着することで、当該上部開口部を閉鎖して前記揮散体３２の不用意な飛び出しを防止する。
【０１０８】
このように、前記容器体３１を前記トレイ３３の第一挟持部１０２及び第二挟持部１０４で挟持した後、当該トレイ３３の上部に開口した上方開口部３２１から前記揮散体３２を挿入することで、当該揮散体３２を前記保持空間３１１内に落下可能の保持することができる。
【０１０９】
このため、ボトル上部にオーバーキャップを装着する際に、オーバーキャップ裏面のインナーリング内に中栓の中蓋上に配置されたフェルト板をセットする構造上、フェルト板とインナーリングとの位置関係を確認しながらオーバーキャップを装着しなければならなかった従来と比較して、作業性が向上する。
【０１１０】
したがって、組立が容易な揮散装置１となり得る。
【０１１１】
なお、前述した製造工程では、前記トレイ３３を前記外ケース２１にセットして、前記両挟持部１０２，１０４が前記容器体３１を周囲から包囲した状態に維持してから前記揮散体３２をセットする場合を例に挙げて説明したが、これに限定されるものではない。
【０１１２】
すなわち、前記保持空間３１１を構成する各保持空間構成部１６１，１６２，１７１，１７２は、前記両挟持部１０２，１０４が対向する対向面側に開口しており、例えば前記第二挟持部１０４の前記容器体右側部用凹部１２１内に前記容器体３１を収容した際に、前記揮散体３２の前縁及び後縁部を前記各保持空間構成部１６１，１６２，１７１，１７２に支持することができる。
【０１１３】
このため、この状態で前記第一挟持部１０２を前記第一挟持部１０４に合わせるだけで、前記揮散体３２を前記各保持空間構成部１６１，１６２，１７１，１７２，２４１，２４２で構成される保持空間３１１内に落下可能に保持することができる。
【０１１４】
そして、この状態において、前記トレイ３３を前記外ケース２１にセットすれば、前記両挟持部１０２，１０４は、前記容器体３１を周囲から包囲した状態に維持することができる。
【０１１５】
これによっても、前述と同様の効果を得ることができ、組立が容易な揮散装置１となり得る。また、このように組立工程に適した前記揮散体３２のセット方法が選択できるため、利便性が向上する。
【０１１６】
また、前記トレイ３３には、前記シート７１の折返し部８２の一部を外部へ延出する前記スリット１５１，２３１が設けられており、該スリット１５１，２３１は、前記両挟持部１０２，１０４が対向する対向面側に開口している。
【０１１７】
このため、前記容器体３１を前記両挟持部１０２，１０４間に挟持する際に、前記折返し部８２の一部を前記スリット１５１，２３１に挿通することで、組み立てられた前記トレイ３３より前記折返し部８２の一部が延出した状態を形成することができる。
【０１１８】
このため、前記トレイに設けられた開口部に前記折返し部８２を挿通して当該折返し部８２を延出する場合と比較して、組立容易性を高めることができる。
【符号の説明】
【０１１９】
１    揮散装置
２    液状薬剤
２１    外ケース
３１    容器体
３２    揮散体
３３    トレイ
７１    シート
１０１    左側部
１０２    第一挟持部
１０３    右側部
１０４    第二挟持部
３１１    保持空間
１６１    第二前方下部保持空間構成部
１６２    第二後方下部保持空間構成部
１７１    第二前方上部保持空間構成部
１７２    第二後方上部保持空間構成部
２４１    第一前方上部保持空間構成部
２４２    第一後方上部保持空間構成部
３２１    上方開口部
【図１】
0005806945.tif 000002
【図２】
0005806945.tif 000003
【図３】
0005806945.tif 000004
【図４】
0005806945.tif 000005
【図５】
0005806945.tif 000006